(57)【特許請求の範囲】
【請求項１】
内容物を収容する容器本体と、該容器本体に開閉可能に連結された蓋体と、を備えるコンパクト容器であって、
前記容器本体に、該容器本体の外壁から露出される操作部と、第１磁石が収容される収容部と、前記操作部と前記収容部とを連結する軸部と、を備える揺動片が配設されるとともに、前記蓋体に、第２磁石が配設され、
前記揺動片が、前記軸部回りに、前記第１磁石と前記第２磁石の異種の磁極同士が互いに接近する閉位置と、前記第１磁石と前記第２磁石の同種の磁極同士が互いに接近する開位置との間で、揺動自在に支持され、
前記容器本体に、前記開位置における前記揺動片の前記操作部が係止される係止部が形成され、
前記容器本体の外壁に、前記操作部を露出する切欠きが形成され、この切欠きの縁部が前記係止部とされ、
前記操作部のうち、前記軸部が連結された連結部の反対側の開放端部が、前記係止部に係止されるとともに、前記連結部と前記開放端部との間に位置する部分に、前記切欠きを通して前記容器本体の内側に向けて突出する板状の側方遮蔽部が形成されていることを特徴とするコンパクト容器。
【発明の詳細な説明】
【技術分野】
【０００１】
本発明は、コンパクト容器に関する。
【背景技術】
【０００２】
この種のコンパクト容器として、アイシャドーやアイライナー、ファンデーション等の化粧料を収容する容器本体と、この容器本体の後部に開閉自在に連結された蓋体と、容器本体と蓋体との間の閉状態を保持するための係合機構と、を備えるものが従来から知られている。
【０００３】
特許文献１には、上記係合機構に磁石の磁力を利用したものが開示されている。この容器では、容器本体に、Ｓ，Ｎ両磁極が前後方向に連なるように配置された第１磁石が、前方付勢状態で後方移動自在に配設されるとともに、第１磁石を後方に押し込み可能な操作部が設けられている。他方、蓋体には、第２磁石が設けられており、操作部の押し込みにより、第１磁石及び第２磁石の同種の磁極同士が接近することで、両磁石間に互いに反発し合う磁力が発生し、容器本体から蓋体が開かれるようになっている。
【先行技術文献】
【特許文献】
【０００４】
【特許文献１】実公昭５９−２５２８３号公報
【発明の概要】
【発明が解決しようとする課題】
【０００５】
ところで、上記特許文献１に係る容器では、蓋体を開くときの操作性を向上させることに改善の余地がある。
【０００６】
本発明は係る実情に鑑みてなされたものであり、蓋体を開くときの操作性を向上できるコンパクト容器を提供することを目的とする。
【課題を解決するための手段】
【０００７】
上記課題の解決手段として、本発明は、以下の手段を提供する。
本発明のコンパクト容器は、内容物を収容する容器本体と、該容器本体に開閉可能に連結された蓋体と、を備えるコンパクト容器であって、前記容器本体に、該容器本体の外壁から露出される操作部と、第１磁石が収容される収容部と、前記操作部と前記収容部とを連結する軸部と、を備える揺動片が配設されるとともに、前記蓋体に、第２磁石が配設され、前記揺動片が、前記軸部回りに、前記第１磁石と前記第２磁石の異種の磁極同士が互いに接近する閉位置と、前記第１磁石と前記第２磁石の同種の磁極同士が互いに接近する開位置との間で、揺動自在に支持され、前記容器本体に、前記開位置における前記揺動片の前記操作部が係止される係止部が形成され、前記容器本体の外壁に、前記操作部を露出する切欠きが形成され、この切欠きの縁部が前記係止部とされ、前記操作部のうち、前記軸部が連結された連結部の反対側の開放端部が、前記係止部に係止されるとともに、前記連結部と前記開放端部との間に位置する部分に、前記切欠きを通して前記容器本体の内側に向けて突出する板状の側方遮蔽部が形成されている点に特徴を有する。
【０００８】
この本発明によれば、操作部を操作し、揺動片を軸部回りに揺動させることで、揺動片が閉位置から開位置に移動されるので、例えば操作部を前方付勢力に抗して直線的に移動させて蓋体を開く構成に比べて、操作部に要する力を抑えることが可能になり、蓋体を開くときの操作性を向上させることができる。
【００１０】
また、係止部を設けることで、揺動片を開位置に容易かつ高精度に位置合わせすることができる。
また、係止部に操作部を係止させておくことにより、第１磁石と第２磁石の同種の磁極同士が互いに接近したときに、両磁石間に生ずる互いに反発し合う磁力によって、操作部が係止部から離間するように揺動片を軸部回りに閉位置側向けて揺動させることができる。これにより、例えばスプリング等を用いずに、揺動片を開位置から閉位置に復帰できるため、部品点数を抑制でき、かつ閉操作の操作性も向上できる。
【発明の効果】
【００１１】
本発明によれば、蓋体の開閉における操作性を向上できる。
【図面の簡単な説明】
【００１２】
【図１】本発明の実施形態に係るコンパクト容器の上面図である。
【図２】上記コンパクト容器の上面図である。
【図３】上記コンパクト容器の右側面図である。
【図４】図１のＡ−Ａ線に沿う断面図である。
【図５】図１のＢ−Ｂ線に沿う断面図である。
【図６】上記コンパクト容器に配設された揺動片の上面図である。
【図７】上記揺動片の正面図である。
【図８】上記コンパクト容器に配設された揺動片の作動説明図である。
【図９】上記コンパクト容器に配設された揺動片の作動説明図である。
【発明を実施するための形態】
【００１３】
以下、図面を参照し、本発明の一実施形態に係るコンパクト容器を説明する。
【００１４】
図１〜図３に示すように、本実施形態のコンパクト容器１は、化粧品を収容する携帯用の蓋付き容器であり、平面視矩形状の扁平容器である。このコンパクト容器１は、図示しない化粧料及び化粧塗布具をそれぞれ収容する容器本体２と、容器本体２にヒンジ３を介して連結された開閉可能な蓋体４と、を備えている。
【００１５】
なお、以下の説明では、容器本体２からみて蓋体４側を「上」とし、その反対側を「下」とする。また、容器本体２からみてヒンジ３側を「後」とし、その反対側を「前」とする。また、前後方向（図中、Ｙ方向）に直交する水平方向（図中、Ｘ方向）を「横方向」とする。
【００１６】
図１、図４を参照し、容器本体２は、化粧料を収容する図示しない中皿を収容保持する第１凹部５と図示しない塗布具を収容する第２凹部６とが内部にそれぞれ形成された収容体であり、平面視矩形箱状の外装体７と、外装体７の内側に嵌合されて第１、第２凹部５、６をそれぞれ形成する内装体８と、で構成されている。
【００１７】
外装体７は、底壁部９の外縁に周壁部１０が全周に亘って立設された構成からなり、底壁部９は、横方向に長い平面視略矩形状の平板部である。周壁部１０は、平面視矩形環状に形成された壁部であり、底壁部９に対して垂直に立設されている。図１に示すように、周壁部１０には、ヒンジ３を構成する前方にへこむヒンジ凹部１１が設けられた後方側の後壁部１２と、前壁部１３と、横方向両側の左側壁部１４及び右側壁部１５と、が備えられている。
【００１８】
内装体８は、第１、第２凹部５、６をそれぞれ形成する第１、第２枠部１６、１７が横方向に並設された枠体であり、第１、第２枠部１６、１７の上端に設けられたフランジ部１８の外縁が外装体７の周壁部１０の上端面に係止されており、フランジ部１８の上面が内装体８の上面を構成している。
【００１９】
第１、第２枠部１６、１７はそれぞれ四隅が弧状に形成されており、図５も参照し、第１、第２枠部１６、１７は仕切り壁部１９を介して横方向に一体に連結されている。外装体７と内装体８との間において、仕切り壁部１９より前方に位置する部分及び仕切り壁部１９より後方に位置する部分にはそれぞれ、比較的広い前後方向の隙間が設けられている。
【００２０】
蓋体４は、天壁部２０と、天壁部２０の外縁の全周に亘って垂下された周壁部２１と、を備え、天壁部２０は横方向に長い平面視略矩形状の平板部であり、容器本体２の上方に位置する。また周壁部２１は、平面視矩形環状に形成された壁部であり、天壁部２０に対して垂直に形成されている。
【００２１】
周壁部２１の後方側の後壁部２２にはヒンジ軸壁２３が垂下されており、ヒンジ軸壁２３は、ヒンジ凹部１１の内側に配置されている。ヒンジ軸壁２３の両端部とヒンジ凹部１１とが横方向外側から挿入される軸部２３Ａ，２３Ａを介して連結されることでヒンジ３が形成される。また、天壁部２０の下面には、鏡体２４が配設されている。
【００２２】
図１〜図３、及び図５を参照し、外装体７と内装体８との間において、第１、第２枠部１６、１７の前方に位置する部分に、揺動片２５が配設され、揺動片２５は、容器本体２の外壁から露出される操作部２６と、第１磁石２７が収容される収容部２８と、操作部２６と収容部２８とを連結する軸部２９と、を備えている。
【００２３】
揺動片２５は、右側壁部１５から横方向中央に延在し、上下方向に延びる軸部２９回りに揺動自在に設けられている。図２に示すように、軸部２９の下部は外装体７の底壁部９における上面に形成された穴部３０内に支持され、その上部は内装体８のフランジ部１８における下面に形成された凹部３１内に支持されている。穴部３０及び凹部３１は、第２枠部１７の横方向中央部からわずかに右側にずれた位置に配設されている。
【００２４】
図１〜図３を参照し、容器本体２には、前部右側の角部であって、前壁部１３、右側壁部１５及び底壁部９にわたる切欠き３２が一体に形成され、操作部２６は、切欠き３２から容器外部に露出する。切欠き３２のうち、前壁部１３に形成された部分は、右側壁部１５に形成された部分より長尺に形成されており、底壁部９に形成された部分は横方向に長尺な長方形状に形成されている。
【００２５】
図６、図７も参照し、操作部２６は、板状を呈し切欠き３２を覆うように配置され、かつ軸部２９より前方に位置する操作部本体３７を備え、操作部本体３７の左端部と軸部２９とが前後方向に延びる連結部３６を介して連結されている。
【００２６】
操作部本体３７の後面において右端部よりも左側にずれた位置には、上下方向に延在し後方に突出する板状の側方遮蔽部３８が形成され、この側方遮蔽部３８は、その後端部を右側壁部１５の内側に配置して、切欠き３２を横方向から覆うように位置している。また、操作部本体３７の後面において下端部よりも上方の位置には、左右方向に延在し後方に突出する板状の下方遮蔽部３９が形成されている。この下方遮蔽部３９は、その後端部を底壁部９の内側に配置して、切欠き３３を下方向から覆うように位置している。
【００２７】
収容部２８は、有底円筒状に形成され、その内部に、上下方向に異なる磁極が連なるように第１磁石２７が収容されている。本実施形態では、第１磁石２７のＮ極４０が上方に配置され、Ｓ極４１が下方に配置されている。収容部２８は、仕切り壁部１９の前方に配置され、横方向に延在する連結腕部４２によって軸部２９と連結されている。連結腕部４２における収容部２８との連結部分は、第２枠部１７の弧状の角部に沿うように右側から左側に向かうに従い漸次後方に向けて延在している。
【００２８】
ここで、図１、図６に示されるように、本実施形態では、連結腕部４２の横方向の長さＬ１が操作部２６の横方向の長さＬ２より長くなっている。また、図１、及び図２に示すように、内装体８の前部下面には、収容部２８及び連結腕部４２の上面に当接する複数の案内リブ４３・・・が下方に向けて突設されている。
【００２９】
一方、図１、図２及び図５を参照し、蓋体４には、第２磁石４４が配設され、この第２磁石４４は、上面視で、第１磁石２７に一部重なる位置に配置されている。第２磁石４４は、蓋体４の下面に凹設された収容凹部４５に収容され、蓋体４と鏡体２４とに挟持されるようにして保持されている。第２磁石４４の異なる磁極は前後方向に連なるように配置されており、本実施形態では、第２磁石４４のＮ極４６は前方に、Ｓ極４７は後方に配置されている。
【００３０】
図８、図９を参照し、上記構成のコンパクト容器１では、操作部２６が操作され、図中実線に示す状態から揺動片２５が軸部２９回りに揺動されると、収容部２８が後方から前方に揺動する。この場合、第１磁石２７のＮ極４０と第２磁石４４のＳ極４７が接近した状態（図９、Ｓ１参照）から、第１磁石２７のＮ極と第２磁石４４のＮ極４６が互いに接近する状態（図９、Ｓ２参照）になる。
【００３１】
すなわち、このコンパクト容器１では、揺動片２５が、第１磁石２７と第２磁石４４の異種の磁極（Ｎ極４０とＳ極４７）同士が互いに接近する「閉位置（実線）」と、第１磁石２７と第２磁石４４の同種の磁極（Ｎ極４０とＮ極４６）同士が互いに接近する「開位置（二点鎖線）」との間で揺動する。
【００３２】
ここで、上記開位置において揺動片２５の操作部２６は、右側壁部１５に形成された切欠き３２の縁部に係止されて回り止めされ、この切欠き３２の縁部は、揺動片２５の操作部２６を係止する係止部３４Ａとして機能する。また、開位置から閉位置に揺動片２５が揺動された場合は、収容部２８及び連結腕部４２のうち少なくとも一方が、第１，第２枠部１６，１７に当接され、揺動が規制される。
【００３３】
次に、上記コンパクト容器１の作用について説明する。
【００３４】
図８、図９に示すように、コンパクト容器１では、操作部２６を操作し、第１磁石２７と第２磁石４４の異種の磁極（Ｎ極４０とＳ極４７）同士が互いに接近する閉位置から、第１磁石２７と第２磁石４４の同種の磁極（Ｎ極４０とＮ極４６）同士が互いに接近する開位置に揺動させることで、両磁石間に生ずる互いに反発し合う磁力を発生させ、蓋体４を容器本体２から開くことができる。
【００３５】
ここで、操作部２６を操作し、揺動片２５を軸部２９回りに揺動させることで、揺動片２５が閉位置から開位置に移動されるので、例えば操作部２６を前方付勢力に抗して直線的に移動させて蓋体を開く構成に比べて、操作部２６に要する力を抑えることが可能になり、蓋体を開くときの操作性を向上させることができる。
【００３６】
さらに、本実施形態では、軸部２９から第１磁石２７を収容する収容部２８までの距離が、軸部２９から操作部２６の端部までの距離よりも長い。このため、揺動片２５が軸部２９回りに揺動することと、閉位置と開位置との間を移動することとがあいまって、操作部２６に加える操作量を少なく抑えても、収容部２８を大きく変位させることが可能になる。よって、蓋体４の開閉を確実に切替えることができる。
【００３７】
また、容器本体２に、開位置における揺動片２５の操作部２６が係止される係止部３４Ａを設けることで、揺動片２５を開位置に容易かつ高精度に位置合わせすることができる。
【００３８】
また、係止部３４Ａに操作部２６を係止させておくことにより、蓋体４を閉鎖方向に回動させて第１磁石２７と第２磁石４４の同種の磁極同士が互いに接近したときに、両磁石間に生ずる互いに反発し合う磁力によって、操作部２６が係止部３４Ａから離間するように揺動片２５を軸部２９回りに閉位置側に向けて揺動させることができる。これにより、例えばスプリング等を用いずに、揺動片２５を開位置から閉位置に復帰できるため、部品点数を抑制でき、かつ閉操作の操作性も向上できる。
【００３９】
以上、本発明に係るコンパクト容器の実施の形態について説明したが、本発明は上記した実施の形態に限定されるものではなく、その趣旨を逸脱しない範囲で適宜変更可能である。
【００４０】
例えば、上記実施形態では、揺動片２５の収容部２８の第１磁石２７をＮ極４０が上方に位置するように配置したが、Ｓ極４１を上方に配置し、蓋体４側の第２磁石４４の前後の向きを上記実施形態とは逆にしてもよい。また、揺動片２５の収容部２８に第１磁石２７の磁極が前後方向に連なるように配置し、蓋体４側の第２磁石４４の磁極が上下方向に連なるような態様としても構わない。
【００４１】
また、上記実施形態では、収容部２８と軸部２９との間に連結腕部４２を設けたが、この連結腕部４２をなくし、収容部２８と軸部２９とを近接させて直接的に連結する態様としても構わない。
さらに、コンパクト容器の形状も上記実施形態に限定されるものではなく、適宜変更可能である。
【符号の説明】
【００４２】
１  コンパクト容器
２  容器本体
４  蓋体
２５  揺動片
２６  操作部
２７  第１磁石
２８  収容部
２９  軸部
４４  第２磁石
３４Ａ  係止部
【図１】
0005976998.tif 000002
【図２】
0005976998.tif 000003
【図３】
0005976998.tif 000004
【図４】
0005976998.tif 000005
【図５】
0005976998.tif 000006
【図６】
0005976998.tif 000007
【図７】
0005976998.tif 000008
【図８】
0005976998.tif 000009
【図９】
0005976998.tif 000010